【事件の表示】
　特願２０００−　９５２２６「蓋開閉機構」拒絶査定不服審判事件〔平成１３年１０月１２日出願公開、特開２００１−２８３５８０〕について、次のとおり審決する。
【結　論】
　本件審判の請求は、成り立たない。
【理　由】
１．手続の経緯・本願発明
　本願は、平成１２年３月２９日の出願であって、その請求項１〜４に係る発明は、平成１５年４月１１日付けの手続補正で補正された明細書の特許請求の範囲の請求項１〜４に記載された事項により特定されるとおりのものであって、その請求項１に係る発明（以下、「本願発明」という。）は、次のとおりのものである。
　
　
「ギヤと、該ギヤの回転を蓋に伝達するねじりコイルバネとを備え、前記ギヤ及び前記蓋は互いに共通の回転軸を持ち、互いに回転自由であって、前記ねじりコイルバネのフリー時のアーム同士の成す角度が、前記蓋の全開時の前記アーム同士の成す角度よりも大きい蓋開閉機構において、
　前記ギヤの回転による蓋開閉動作時には、前記蓋と前記ギヤとが所定の位置関係を保ちつつ一体的に駆動され、前記蓋が強制的に閉められる際には、前記蓋が所定角度閉められるまでは前記ギヤは動くことなく前記ねじりコイルバネのアーム同士が閉じ、前記蓋が前記所定角度閉められたところで、前記ギヤの回転による蓋閉動作が行われることを特徴とする蓋開閉機構。」
　
　
２．引用例
１）第１引用例
 　これに対して、原査定の拒絶の理由で引用された、本願出願前に頒布された刊行物である特開平６−７６４４５号公報（以下、「第１引用例」という。）には、図面とともに次の技術事項が記載されている。　
　
（ａ）
「【００２５】
【実施例】以下、本発明の一実施例を図１〜図５を参照して説明する。
【００２６】図１にディスクカートリッジ非挿入時の光磁気ディスク装置のフロントシャッタ機構を示す。
【００２７】フロントベゼル１に設けられたディスクカートリッジ挿入口２を、装置内側より塞いでいるシャッタ３は、前記フロントベゼル１の支持部４に回転自由に支持されている。
【００２８】又、前記シャッタ３は捩りばね５により、前記支持部４を中心に図中、右回転方向の力が加えられている。
【００２９】ディスクカートリッジ挿入時、ディスクカートリッジ１８は装置内でカートリッジホルダ６に保持される。
【００３０】前記カートリッジホルダ６は、ガイドピン７によりスライドシャーシ８に設けられた斜部案内溝９と、サイドシャーシ１０に設けられた位置決め案内溝１１により支持されている。」　
　
（ｂ）
「【００３１】２次シャッタ１３は第２図に示すように前記フロントベゼル１の装置内側の前記ディスクカートリッジ挿入口２の下方に位置している。
【００３２】前記シャッタ１３は、前記フロントベゼル１の側板部に設けられた支持ピン１４を中心に回転自由に支持された板歯車１９及び２０と、カートリッジホルダ６に設けられたラック歯車部２２と、シャッタ１３に設けられたラック歯車部２３により構成されたラックピニオン機構により、カートリッジホルダ６に連動して上下移動するように支持されている。
【００３３】又、板歯車１９と２０と捩りバネ２１は、図５に示すように捩りバネ２１によりクラッチ作用を持つように組み合わされ連動されている。
【００３４】又、前記スライドシャーシ８にはエジェクトスイッチ１５が、図示無き機構部により連動させられている。」　　
　
（ｃ）
「【００３５】次に本発明のフロントシャッタ機構の動作について説明する。
【００３６】図４に本発明のフロントシャッタ機構のディスクカートリッジ挿入時の状態を示す。ディスクカートリッジ挿入時、前記ディスクカートリッジ挿入口２からディスクカートリッジ１８を押し込むことにより、前記シャッタ３はディスクカートリッジの端部により押し開けられる。
【００３７】ディスクカートリッジ１８を装置内まで押し込むと前記スライドシャーシ８は図示無き位置固定機構が解除され、図示無きばねにより図１に示す位置より図中、左方向へ移動する。
【００３８】この移動に伴い、装置内でディスクカートリッジ１８を保持している前記カートリッジホルダ６は、前記ガイドピン７及び斜部案内溝９と位置決め案内溝１１により下降移動し、ディスクカートリッジ１８を所定の位置まで移動させる。
【００３９】板歯車２０は、前記カートリッジホルダ６の移動にともないラック歯車部２２により図中、右回転移動する。
【００４０】板歯車２０が右回転移動することにより捩りバネ２１の一端を押し上げるため、バネの反力により板歯車１９に右回転方向の力が加えられ、板歯車１９も図中、右回転移動する。
【００４１】２次シャッタ１３は、板歯車１９が右回転移動することによってラック歯車部２３により図示の位置まで押し上げられ、前記ディスクカートリッジ挿入口２を装置内側より塞ぐ。」
　
（ｄ）
「【００４２】この時、図３に示すようにディスクカートリッジ挿入口２にディスクカートリッジを押し込んでいた指叉はその他の障害物１７が存在した場合、押し上げられた２次シャッタ１３が接触し、その位置で静止する。
【００４３】シャッタ１３を押し上げる力は、板歯車１９と２０を連動している捩りバネ２１によるクラッチ作用により保留されることにより、前記障害物をディスクカートリッジ挿入口２より取り除いた後、２次シャッタ１３は前記移動動作を継続しディスクカートリッジ挿入口２を装置内側より塞ぐ。
【００４４】又、前記シャッタ３はディスクカートリッジ１８の上面に接したまま図４の図示位置で静止する。
【００４５】前記スライドシャーシ８に連動させられているエジェクトスイッチ１５は、前記スライドシャーシ８の移動に伴いフロントベゼル１より図示の位置まで突出する。」
　
（ｅ）
「【００４６】ディスクカートリッジを装置内より排出させる場合、フロントベゼル１より突出した前記エジェクトスイッチ１５を押し込むことにより、前記スライドシャーシ８を図中、右方向に移動させる。
【００４７】前記スライドシャーシ８は図１の図示位置まで移動し、上記挿入動作を逆行させることにより、前記カートリッジホルダ６は図１の図示位置まで復帰する。
【００４８】前記シャッタ１３は、カートリッジホルダの移動に伴い前記板歯車１９により押し上げられ、図１の図示位置に移動する。
【００４９】ディスクカートリッジ１８は図示無きその他機構部のバネ力等により、前記ディスクカートリッジ挿入口２から前記フロントベゼル１より一部分が突出する位置まで押し出される。
【００５０】その後、ディスクカートリッジ１８を人為的に引き抜くことにより、前記シャッタ３は図１の図示位置に復帰し前記ディスクカートリッジ挿入口２を塞ぎ、排出動作は終了する。」
　
　上記第１引用例の記載事項及び図面を総合勘案すると、第１引用例には、結局、次の発明が記載されている。
　
「フロントベゼル１の側板部に設けられた支持ピン１４を中心に回転自由に支持された板歯車１９及び板歯車２０と、前記板歯車２０はカートリッジホルダ６に設けられたラック歯車部２２が噛み合い、前記板歯車１９と前記板歯車２０は捩りバネ２１によりクラッチ作用を持つように連結され、２次シャッタ１３に設けられたラック歯車部２３と前記板歯車１９が噛み合うことで、前記カートリッジホルダ６に連動して前記２次シャッタ１３が上下移動するシャッタ機構であって、
　前記２次シャッタ１３がディスクカートリッジ挿入口２を塞ぐ際には、前記カートリッジホルダ６の移動にともない前記ラック歯車部２２により、前記板歯車２０が回転することにより前記捩りバネ２１の一端を押し上げるため、バネの反力により前記板歯車１９に回転力が加えられ、前記板歯車１９が回転することによって前記ラック歯車部２３により前記２次シャッタ１３が押し上げられ、また、前記ディスクカートリッジ挿入口２を開ける際には、前記スライドシャーシ８が逆方向に移動し、前記２次シャッタ１３は前記板歯車１９により押し下げげられ、
　前記２次シャッタ１３が前記ディスクカートリッジ挿入口２を塞ぐ際に、前記ディスクカートリッジ挿入口２に指又はその他の障害物１７が存在した場合には、押し上げられた前記２次シャッタ１３が接触しその位置で静止し、前記２次シャッタ１３を押し上げる力は、前記板歯車１９と前記板歯車２０を連動している前記捩りバネ２１によるクラッチ作用により保留されることにより、前記障害物を前記ディスクカートリッジ挿入口２より取り除いた後、前記２次シャッタ１３は前記移動動作を継続しディスクカートリッジ挿入口２を装置内側より塞ぐ
　シャッタ機構。」
　
　　　
３．対　比
　
　本願発明と上記第１引用例に記載された発明とを対比する。
　
　第１引用例に記載された発明における「板歯車２０」、「捩りバネ２１」、「２次シャッタ１３」及び「シャッタ機構」は、本願発明における「ギヤ」、「ねじりコイルバネ」、「蓋」及び「扉開閉機構」に相当する。
　
　第１引用例に記載された発明においても、「板歯車２０」の回転を「捩りバネ２１」を介して「板歯車１９」に伝達しており、また、「板歯車２０」が「捩りバネ２１」の一方のアームを押すことによって他方のアームを介して「板歯車２０」に回転が伝達されるものであり、「捩りバネ２１」は「板歯車２０」および「板歯車１９」に対してアーム同士の成す角度がフリー時よりも狭くされた状態で取り付けられているものと認められることから、第１引用例に記載された発明と本願発明では「ギヤと、該ギヤの回転を回動部に伝達するねじりコイルバネとを備え、前記ギヤ及び前記回動部は互いに共通の回転軸を持ち、互いに回転自由であって、前記ねじりコイルバネのフリー時のアーム同士の成す角度が、前記蓋の全開時の前記アーム同士の成す角度よりも大きい蓋開閉機構」で共通する。
　
　第１引用例に記載された発明における「前記２次シャッタ１３が前記ディスクカートリッジ挿入口２を塞ぐ際に、前記ディスクカートリッジ挿入口２に指叉はその他の障害物１７が存在した場合には、押し上げられた前記２次シャッタ１３が接触しその位置で静止し、前記２次シャッタ１３を押し上げる力は、前記板歯車１９と前記板歯車２０を連動している前記捩りバネ２１によるクラッチ作用により保留されることにより、前記障害物を前記ディスクカートリッジ挿入口２より取り除いた後、前記２次シャッタ１３は前記移動動作を継続しディスクカートリッジ挿入口２を装置内側より塞ぐ」とは、２次シャッタ１３を閉める時にディスクカートリッジ挿入口２に障害物があった際には、板歯車１９は停止するが板歯車２０は捩りバネ２１のアーム同士の成す角度が狭まることで回転を継続するものであるから、障害物がない時には板歯車１９と板歯車２０は所定の位置関係を保って一体的に回転するものと認められることから、第１引用例に記載された発明と本願発明では「前記ギヤの回転による蓋開閉動作時には、前記回動部と前記ギヤとが所定の位置関係を保ちつつ一体的に駆動される」で共通する
　　
　　
　そうすると、本願発明と第１引用例に記載された発明とは、次の点で一致する。
　
　一致点
　
「ギヤと、該ギヤの回転を回動部に伝達するねじりコイルバネとを備え、前記ギヤ及び前記回動部は互いに共通の回転軸を持ち、互いに回転自由であって、前記ねじりコイルバネのフリー時のアーム同士の成す角度が、前記蓋の全開時の前記アーム同士の成す角度よりも大きい蓋開閉機構において、
　前記ギヤの回転による蓋開閉動作時には、前記回動部と前記ギヤとが所定の位置関係を保ちつつ一体的に駆動される
　蓋開閉機構。 」
　
一方、次の点で相違する。
　
（相違点１）
　蓋が、本願発明では回動部に一体に設けられているのに対して、第１引用例に記載された発明では蓋と回動部は別体である点。
　
（相違点２）
　ギヤと回動部を同軸に設けねじりコイルバネで連結するクラッチ機構が、本願発明では蓋が強制的に閉められる際のクラッチ機構として用い、蓋が所定角度閉められるまではギヤは動くことなくねじりコイルバネのアーム同士が閉じ、蓋が前記所定角度閉められたところで、ギヤの回転による蓋閉動作が行われるようにしているのに対して、第１引用例に記載された発明では蓋が閉められる際の障害物に対するクラッチ機構として用いている点。
　
　
４．当審の判断
　
　そこで、上記相違点について検討する。
１）相違点１について
　記録再生装置等の蓋開閉機構において蓋を回動型とすることは周知の技術（例えば、実願平１−１２６８７２号（実開平３−６６０４９号）のマイクロフィルム、（特に、明細書第９頁第１２行〜同第１０頁第６行）を参照）、であり、また、蓋を回動型とすれば当然回動部に蓋を直接設けるものと認められることから、第１引用例に記載された発明において蓋が上下動するものに代え蓋を回動型とし、回動部と蓋を一体とすることは当業者が容易に想到し得たものである。
　
２）相違点２について
　出願人も従来例として記載するように、蓋開閉機構において蓋が強制的に閉められ際のギヤ機構等の破損を防止するためにクラッチ機構を設けることは周知の技術（例えば、拒絶理由で引用した特開平９−７３６１号公報（特に、段落【００６６】）、特開平１１−３４４０９５号公報（特に、段落【００１７】）を参照）であり、また、当業者であれば２つの回動部材を同軸に設けねじりコイルバネで連結するクラッチ機構を蓋が強制的に閉められ際のクラッチ機構としても適用しうることは明らかであり、そして、適用にあっては当然蓋が所定角度閉められるまではギヤは動くことなくねじりコイルバネのアーム同士が閉じ、蓋が前記所定角度閉められたところで、ギヤの回転による蓋閉動作するよう設計変更する（例えば、実願昭６１−１７１０８３号（実開昭６３−７８３９４号）のマイクロフィルム、（特に、明細書第８頁第１１行〜同第９頁第２行）を参照）ものと認められことから、第１引用例に記載されたギヤと回動部を同軸に設けねじりコイルバネで連結するクラッチ機構を蓋が強制的に閉められ際のクラッチ機構として用い、記蓋が所定角度閉められるまではギヤは動くことなくねじりコイルバネのアーム同士が閉じ、蓋が前記所定角度閉められたところで、ギヤの回転による蓋閉動作するようにすることは当業者が容易に想到し得たものである。　
　　
　　　
５．むすび
　
　以上のとおりであって、本願発明は、上記第１引用例に記載された発明及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。